(57)【要約】【課題】位置合わせを簡略化できる視差バリア、画像表示装置、遊技機、及び、製造方法を提供すること。【解決手段】第１画素及び第２画素がそれぞれ複数配列された画像表示領域を有する表示手段４に取り付けられ、第１画素により表示される第１画像と、第２画素により表示される第２画像とを分離する視差バリア５であって、第１画素及び第２画素に応じて配置され、第１画像及び第２画像を透過させる第１の透過部５３と、第１画素と第２画素との境界に位置するブラックマトリクスＢＭに応じて形成され、第１画素及び第２画素から入射される光を遮断する遮光部５２と、表示手段４に対する視差バリア５の取付方向から見て、遮光部５２におけるブラックマトリクスＢＭに応じた位置に形成され、視差バリア５を表示手段４に位置合わせするための第２の透過部（第１位置合わせ部）５４と、を有する。【選択図】図７
2011167443.tif 000002
【特許請求の範囲】
【請求項１】
第１画素及び第２画素がそれぞれ複数配列された画像表示領域を有する表示手段に取り付けられ、前記第１画素により表示される第１画像と、前記第２画素により表示される第２画像とを分離する視差バリアであって、
前記第１画素及び前記第２画素に応じて配置され、前記第１画像及び前記第２画像を透過させる第１の透過部と、
前記第１画素と前記第２画素との境界に位置するブラックマトリクスに応じて形成され、前記第１画素及び前記第２画素から入射される光を遮断する遮光部と、
前記表示手段に対する当該視差バリアの取付方向から見て、前記遮光部における前記ブラックマトリクスに応じた位置に形成され、当該視差バリアを前記表示手段に位置合わせするための第２の透過部と、
を有することを特徴とする視差バリア。
【請求項２】
請求項１に記載の視差バリアにおいて、
前記画像表示領域は、前記表示手段に対する当該視差バリアの取付方向から見て略長方形状に形成され、
前記第２の透過部は、前記ブラックマトリクスのうち、前記画像表示領域の長手方向略中央に位置し、当該長手方向に直交する短手方向に沿う第１のブラックストライプに応じた位置に形成されていることを特徴とする視差バリア。
【請求項３】
請求項２に記載の視差バリアにおいて、
前記第２の透過部は、前記表示手段に対する当該視差バリアの取付方向から見て、前記画像表示領域の中心を挟む複数の位置に形成されていることを特徴とする視差バリア。
【請求項４】
請求項２又は請求項３に記載の視差バリアにおいて、
前記第２の透過部は、前記表示手段に対する当該視差バリアの取付方向から見て、前記第１のブラックストライプに対して交差するように、延出方向及び配列方向の少なくともいずれかが設定された少なくとも１つの孔により構成されていることを特徴とする視差バリア。
【請求項５】
請求項２から請求項４のいずれかに記載の視差バリアにおいて、
前記ブラックマトリクスのうち、前記画像表示領域における前記短手方向略中央を通り、かつ、前記長手方向に沿う第２のブラックストライプに応じて前記遮光部に形成され、当該視差バリアを前記画像表示領域に位置合わせするための第３の透過部を有することを特徴とする視差バリア。
【請求項６】
請求項５に記載の視差バリアにおいて、
前記第３の透過部は、前記表示手段に対する当該視差バリアの取付方向から見て、前記画像表示領域の中心を挟む複数の位置に形成されていることを特徴とする視差バリア。
【請求項７】
請求項５又は請求項６に記載の視差バリアにおいて、
前記第３の透過部は、前記表示手段に対する当該視差バリアの取付方向から見て、前記第２のブラックストライプに対して交差するように、延出方向及び配列方向の少なくともいずれかが設定された少なくとも１つの孔により構成されていることを特徴とする視差バリア。
【請求項８】
請求項１から請求項７のいずれかに記載の視差バリアと、
第１画素及び第２画素がそれぞれ複数配列された画像表示領域を有する表示手段と
を備えることを特徴とする画像表示装置。
【請求項９】
請求項８に記載の画像表示装置を備えることを特徴とする遊技機。
【請求項１０】
第１画素及び第２画素がそれぞれ複数配列された画像表示領域を有する表示手段と、前記第１画素により表示される第１画像、及び、前記第２画素により表示される第２画像を分離する視差バリアとを備える画像表示装置を製造する製造方法であって、
前記視差バリアは、
前記第１画素及び前記第２画素に応じて配置され、前記第１画像及び前記第２画像を透過させる第１の透過部と、
前記第１画素と前記第２画素との境界に位置するブラックマトリクスに応じて形成され、前記第１画素及び前記第２画素から入射される光を遮断する遮光部と、
前記表示手段に対する当該視差バリアの取付方向から見て、前記遮光部における前記ブラックマトリクスに応じた位置に形成され、当該視差バリアを前記表示手段に位置合わせするための第２の透過部と、を有し、
当該製造方法は、
前記表示手段に、テスト画像を表示させる画像表示工程と、
表示された前記テスト画像を観察して、前記第２の透過部を前記ブラックマトリクスに合わせるように、前記視差バリアを前記表示手段に位置合わせする位置合わせ工程と、
位置合わせされた前記視差バリアを前記表示手段に固定する固定工程と、
を有することを特徴とする製造方法。
【発明の詳細な説明】
【技術分野】
【０００１】
本発明は、視差バリア、画像表示装置、遊技機及び製造方法に関する。
【背景技術】
【０００２】
従来、右目用画像及び左目用画像を形成して、視差により立体視可能な画像を表示する画像表示装置が知られている（例えば、特許文献１参照）。
この特許文献１に記載の画像表示装置は、照明装置、表示パネル及び視差バリア（パララックスバリア）を備える。これらのうち、視差バリアは、グリッドアレイ及びバリア部材を備える。グリッドアレイは、幅方向に沿って等間隔で配置されるストライプ状のマスク（遮光部）を有し、これらマスク間の隙間であるスリットにより、表示パネルにて形成された右目用画像及び左目用画像が分離される。また、バリア部材は、表示パネルにおいて隣接する画素間の隙間部分に対応して形成された遮光体を備え、スリット越しに、左目用画像が右目により観察され、右目用画像が左目により観察されることを防いでいる。
【０００３】
ところで、表示パネルに対して視差バリアの位置がずれると（画素に対してスリットの位置がずれると）、右目用画像及び左目用画像の分離が適切に行われない可能性がある。このため、上記画像表示装置の製造時には、表示パネルに対して視差バリアを適切に位置合わせする必要がある。
このため、表示パネルにおける画像表示領域の外側、及び、視差バリアにおける光透過領域の外側に、バーニヤと呼ばれる光学スケールをそれぞれ配置し、これら光学スケールに基づいて、視差バリアを表示パネルに位置合わせする方法が知られている。
【０００４】
このような方法は、筐体に組み込む前の表示パネル、すなわち、画像表示領域以外の部分が露出した表示パネルに対して視差バリアを位置合わせする場合に有効である。しかしながら、表示パネルが既に筐体に組み込まれていると、当該表示パネルにおける画像表示領域以外の部分は筐体により覆われてしまうため、表示パネルに対して視差バリアを位置合わせすることができないという問題がある。
【０００５】
これに対し、表示パネルに右目用画像及び左目用画像を表示させ、目視又は光学測定器により、左右の各画像の光学分離性（Ｓ／Ｎ比）が最大となるように調整しながら視差バリアを位置合わせする方法が提案されている。この方法では、鉛直方向（表示パネルに対する視差バリアの取付方向）に対する斜方に画素がよく見える収束点があることに基づいて目の輻輳角やカメラの角度を調整し、視差バリア越しの画像を観察しながら、当該視差バリアの位置調整を行う。
【先行技術文献】
【特許文献】
【０００６】
【特許文献１】特開平３−２３０６９９号公報
【発明の概要】
【発明が解決しようとする課題】
【０００７】
しかしながら、前述の方法では、左右の各画像の光学分離性が最大となるように、表示パネルに対する視差バリアの位置合わせを行うため、当該位置合わせが煩雑であるという問題がある。このため、より簡易に視差バリアの位置合わせを行うことができる構成及び方法が要望されてきた。
【０００８】
本発明の目的は、位置合わせを簡略化できる視差バリア、画像表示装置、遊技機及び製造方法を提供することである。
【課題を解決するための手段】
【０００９】
前記した目的を達成するために、本発明の視差バリアは、第１画素及び第２画素がそれぞれ複数配列された画像表示領域を有する表示手段に取り付けられ、前記第１画素により表示される第１画像と、前記第２画素により表示される第２画像とを分離する視差バリアであって、前記第１画素及び前記第２画素に応じて配置され、前記第１画像及び前記第２画像を透過させる第１の透過部と、前記第１画素と前記第２画素との境界に位置するブラックマトリクスに応じて形成され、前記第１画素及び前記第２画素から入射される光を遮断する遮光部と、前記表示手段に対する当該視差バリアの取付方向から見て、前記遮光部における前記ブラックマトリクスに応じた位置に形成され、当該視差バリアを前記表示手段に位置合わせするための第２の透過部と、を有することを特徴とする。
【００１０】
なお、表示手段としては、液晶、プラズマ及び有機ＥＬ（Electro-Luminescence）等の各種表示装置を採用することができる。
本発明によれば、視差バリアが有する第２の透過部を、表示手段において第１画素及び第２画素の境界に位置するブラックマトリクスに合わせることにより、表示手段の画素配列に応じて形成された視差バリアを、当該表示手段（特に、画像表示領域）に対して適切に位置合わせすることができる。従って、特別な技術や機器を要せずに、視差バリアを表示手段に適切に位置合わせできるので、当該視差バリアの位置合わせ工程を簡略化できる。また、これにより、視差バリア及び表示手段を備える画像表示装置における当該視差バリアの位置ずれに基づく品質（第１画像及び第２画像の光学分離性）のばらつきを抑制することができるほか、当該画像表示装置の製造工程及び製造設備の簡素化を図ることができるので、当該画像表示装置の生産性を向上できる。
【００１１】
更に、表示手段が筐体に収納されている場合でも、外部に露出する画像表示領域に形成されたブラックマトリクスに第２の透過部を合わせるように、視差バリアを表示手段に対して位置合わせするので、既存の表示手段に本発明の視差バリアを取り付けることができる。従って、複数の画像をそれぞれ異なる視方向に表示する画像表示装置を簡易に構成することができる。逆に、本発明の視差バリアを備える画像表示装置から、当該視差バリアを取り外すことも可能となり、表示手段の再利用を図ることができる。
【００１２】
本発明では、前記画像表示領域は、前記表示手段に対する当該視差バリアの取付方向から見て略長方形状に形成され、前記第２の透過部は、前記ブラックマトリクスのうち、前記画像表示領域の長手方向略中央に位置し、当該長手方向に直交する短手方向に沿う第１のブラックストライプに応じた位置に形成されていることが好ましい。
なお、ブラックストライプとは、格子状のブラックマトリクスにおける１本の直線状部分を示す。
【００１３】
ここで、画像表示領域において、第１画素及び第２画素が、長手方向に沿って交互に配列されている場合（更に各画素が短手方向に沿って交互に配列されている場合も含む）では、当該画素配列に応じて形成される視差バリアにおける第１の透過部及び遮光部の配置状態は、第１のブラックストライプを中心として線対称となる。
このため、第１のブラックストライプに応じた位置に形成された第２の透過部を、当該第１のブラックストライプに合わせるように、視差バリアを表示手段に対して位置合わせすることにより、各画素に対して位置合わせされる第１の透過部のずれを抑制でき、製造される画像表示装置の品質のばらつきを一層抑制できる。
【００１４】
本発明では、前記第２の透過部は、前記表示手段に対する当該視差バリアの取付方向から見て、前記画像表示領域の中心を挟む複数の位置に形成されていることが好ましい。
このような第２の透過部の形成位置は、第１のブラックストライプに応じた位置で、かつ、画像表示領域の周縁近傍の位置であることが好ましい。
【００１５】
ここで、第１のブラックストライプに応じて形成された第２の透過部が１つである場合、視差バリアの中心に対して当該第２の透過部と点対称となる領域は、第１のブラックストライプに対してずれることが考えられる。このような場合、視差バリアが表示手段に対してずれ、前述の光学分離性が低下する。
これに対し、本発明によれば、画像表示領域の中心を挟む複数の位置に第２の透過部がそれぞれ形成されているので、当該各第２の透過部を第１のブラックストライプに合うように、視差バリアを表示手段に対して位置合わせすることで、当該視差バリアを表示手段に一層適切に位置合わせできる。従って、製造される画像表示装置の品質のばらつきを確実に抑制できる。
【００１６】
本発明では、前記第２の透過部は、前記表示手段に対する当該視差バリアの取付方向から見て、前記第１のブラックストライプに対して交差するように、延出方向及び配列方向の少なくともいずれかが設定された少なくとも１つの孔により構成されていることが好ましい。
なお、第１のブラックストライプに対して交差するように、延出方向が設定されているとは、第２の透過部が１つの孔により構成されている場合には、当該孔の長手方向が第１のブラックストライプに対して交差する方向であることを示す。また、第１のブラックストライプに対して交差するように、配列方向が設定されているとは、第２の透過部が複数の孔により構成されている場合には、当該各孔の全体の配列方向が、第１のブラックストライプに対して交差する方向であることを示す。
【００１７】
本発明によれば、第２の透過部が、第１のブラックストライプに交差する方向に延出又は配列された少なくとも１つの孔により構成されていることにより、当該第２の透過部を介して第１のブラックストライプの位置を把握しやすくすることができる。
すなわち、第１のブラックストライプの幅寸法（平面視した際の第１のブラックストライプの延出方向に直交する方向の寸法）より、第２の透過部の幅寸法が小さい場合には、当該第２の透過部を介して観察される第１のブラックストライプの幅方向の位置を適切に把握することが難しい。これに対し、第２の透過部が上記のように構成されていることにより、第１のブラックストライプの幅方向の位置を適切に把握することができる。
従って、第２の透過部を第１のブラックストライプに合わせやすくすることができ、視差バリアの表示手段に対する位置合わせを、より適切かつ簡易に行うことができる。
【００１８】
本発明では、前記ブラックマトリクスのうち、前記画像表示領域における前記短手方向略中央を通り、かつ、前記長手方向に沿う第２のブラックストライプに応じて前記遮光部に形成され、当該視差バリアを前記画像表示領域に位置合わせするための第３の透過部を有することが好ましい。
【００１９】
本発明によれば、第２の透過部を第１のブラックストライプに合わせることにより、画像表示領域の長手方向に沿う適切な位置に視差バリアを位置合わせすることができ、また、第３の透過部を第２のブラックストライプに合わせることにより、当該画像表示領域の短手方向に沿う適切な位置に視差バリアを位置合わせすることができる。従って、視差バリアをより適切に表示手段に位置合わせすることができる。この効果は、第１画素及び第２画素が、画像表示領域の長手方向及び短手方向にそれぞれ交互に配列されている表示手段に対して、視差バリアを位置合わせする場合に特に有効である。
また、これにより、画像表示領域の寸法に合わせて視差バリアの寸法を設定することができるので、当該視差バリアの小型化を図ることができる。
【００２０】
本発明では、前記第３の透過部は、前記表示手段に対する当該視差バリアの取付方向から見て、前記画像表示領域の中心を挟む複数の位置に形成されていることが好ましい。
本発明によれば、前述の第２の透過部の場合と同様に、画像表示領域の中心を挟む複数の位置で、各第３の透過部が第２のブラックストライプに合うように、視差バリアが表示手段に対して位置合わせされるので、当該視差バリアを表示手段に一層適切に位置合わせできる。
【００２１】
本発明では、前記第３の透過部は、前記表示手段に対する当該視差バリアの取付方向から見て、前記第２のブラックストライプに対して交差するように、延出方向及び配列方向の少なくともいずれかが設定された少なくとも１つの孔により構成されていることが好ましい。
なお、第２のブラックストライプに対して交差するように、延出方向が設定されているとは、前述の第１のブラックストライプの場合と同様に、第３の透過部が１つの孔により構成されている場合には、当該孔の長手方向が第２のブラックストライプに対して交差する方向であることを示す。また、第２のブラックストライプに対して交差するように、配列方向が設定されているとは、第３の透過部が複数の孔により構成されている場合には、当該各孔の全体の配列方向が、第２のブラックストライプに対して交差する方向であることを示す。
【００２２】
本発明によれば、前述の第２の透過部の場合と同様に、第３の透過部が、第２のブラックストライプに対して交差する方向に延出又は配列された少なくとも１つの孔により形成されていることにより、当該第３の透過部を介して観察される第２のブラックストライプの位置を把握しやすくすることができる。従って、当該第３の透過部を第２のブラックストライプに合わせやすくすることができ、視差バリアの表示手段に対する位置合わせを、より簡易に行うことができる。
【００２３】
また、本発明の画像表示装置は、前述の視差バリアと、第１画素及び第２画素がそれぞれ複数配列された画像表示領域を有する表示手段とを備えることを特徴とする。
本発明によれば、前述の視差バリアと同様の効果を奏することができる。すなわち、製造される画像表示装置の品質のばらつきを抑制することができるほか、当該画像表示装置の製造工程及び製造設備の簡素化を図ることができるので、当該画像表示装置の生産性を向上できる。また、視差バリアを取り外すことにより、表示手段の再利用を図ることができる。
【００２４】
また、本発明の遊技機は、前述の画像表示装置を備えることを特徴とする。
本発明によれば、前述の視差バリア及び画像表示装置と同様の効果を奏することができる。
【００２５】
また、本発明の製造方法は、第１画素及び第２画素がそれぞれ複数配列された画像表示領域を有する表示手段と、前記第１画素により表示される第１画像、及び、前記第２画素により表示される第２画像を分離する視差バリアとを備える画像表示装置を製造する製造方法であって、前記視差バリアは、前記第１画素及び前記第２画素に応じて配置され、前記第１画像及び前記第２画像を透過させる第１の透過部と、前記第１画素と前記第２画素との境界に位置するブラックマトリクスに応じて形成され、前記第１画素及び前記第２画素から入射される光を遮断する遮光部と、前記表示手段に対する当該視差バリアの取付方向から見て、前記遮光部における前記ブラックマトリクスに応じた位置に形成され、当該視差バリアを前記表示手段に位置合わせするための第２の透過部と、を有し、当該製造方法は、前記表示手段に、テスト画像を表示させる画像表示工程と、表示された前記テスト画像を観察して、前記第２の透過部を前記ブラックマトリクスに合わせるように、前記視差バリアを前記表示手段に位置合わせする位置合わせ工程と、位置合わせされた前記視差バリアを前記表示手段に固定する固定工程と、を有することを特徴とする。
【００２６】
本発明によれば、前述の視差バリアと同様の効果を奏することができる。すなわち、表示手段に対する視差バリアの位置合わせ工程を簡略化することができ、ひいては、画像表示装置の製造工程を簡略化することができる。
【図面の簡単な説明】
【００２７】
【図１】本発明の第１実施形態に係る遊技機を示す斜視図。
【図２】前記実施形態における画像表示装置の構成を模式的に示す断面図。
【図３】前記実施形態における液晶パネルの画素の配列状態を示す模式図。
【図４】前記実施形態における視差バリアの透光性基板を平面的に見た模式図。
【図５】前記実施形態における第１位置合わせ部及び第２位置合わせ部の位置を示す模式図。
【図６】前記実施形態における第１位置合わせ部を示す模式図。
【図７】前記実施形態における第１位置合わせ部を示す模式図。
【図８】前記実施形態における第２位置合わせ部を示す模式図。
【図９】前記実施形態における第２位置合わせ部を示す模式図。
【図１０】本発明の第２実施形態に係る遊技機の画素の配列状態を示す模式図。
【図１１】前記実施形態における視差バリアの透光性基板を平面的に見た模式図。
【図１２】前記実施形態における位置合わせ部の位置を示す模式図。
【図１３】前記実施形態における位置合わせ部を示す模式図。
【図１４】前記各実施形態の変形である画像表示装置の構成を模式的に示す断面図。
【発明を実施するための形態】
【００２８】
〔第１実施形態〕
以下、本発明の第１実施形態を、図面に基づいて説明する。
〔遊技機の概略構成〕
図１は、本実施形態に係る遊技機１を示す斜視図である。
本実施形態に係る遊技機１は、図１に示すように、ハンドル１１の操作に応じて射出装置（図示省略）により射出された遊技球が、遊技盤１２の盤面上を落下しつつ移動して、所定の入賞口に入賞した場合に所定数の遊技球を払い出すパチンコ機として構成されている。この遊技盤１２の盤面には、略円形状の側壁１３によって囲まれた遊技領域１４が形成されている。この遊技領域１４の略中央には、略横長長方形状の開口部１５が形成され、当該開口部１５の位置に応じた遊技盤１２の背面には、画像表示装置２が配置される。
【００２９】
〔画像表示装置の構成〕
画像表示装置２は、遊技球の入賞による抽選結果等に応じたコマンドの入力を受け、該コマンドに応じた画像を表示する。具体的に、画像表示装置２は、観察者の右目により観察される右目用画像と、左目により観察される左目用画像とを含む立体視可能な画像（以下、「立体画像」と略す場合がある）を表示する。そして、画像表示装置２は、当該右目用画像を観察者の右目に向かう方向（第１視方向）に出射し、また、左目用画像を観察者の左目に向かう方向（第２視方向）に出射することで、視差により立体画像を観察者に知覚させる。なお、本実施形態では、画像表示装置２は、視点数が２の２眼式立体表示装置として構成されている。
【００３０】
図２は、画像表示装置２の構成を模式的に示す断面図である。具体的に、図２は、液晶パネル４の列方向（垂直方向：図３及び図４における上下方向）から見た断面図である。
画像表示装置２は、図２に示すように、光源装置としてのバックライト３と、液晶パネル４と、視差バリア５とを備える。
【００３１】
〔バックライトの構成〕
バックライト３は、後述する液晶パネル４とともに本発明の表示手段を構成する。このバックライト３は、略Ｗ字状に曲折された冷陰極管と、当該冷陰極管の背面側に設けられるリフレクターとを備え、冷陰極管に電圧印加して生じた放電光を、リフレクターで反射して液晶パネル４側に出射する。なお、バックライト３は、このような構成に限らず、Ｌ字状又はＵ字状のエッジタイプの冷陰極管と導光板との組み合わせや、冷陰極管及びリフレクターに代えて、複数のＬＥＤ(Light Emitting Diode)等の固体光源が複数配設された構成を有していてもよい。
【００３２】
〔液晶パネルの構成〕
図３は、液晶パネル４の画素４１（４１Ｒ，４１Ｌ）の配列状態を示す模式図である。なお、図２及び図３では、説明の便宜上、第１画素４１Ｒ内に「Ｒ」の文字を付し、第２画素４１Ｌ内に「Ｌ」の文字を付している。以下の図も同様である。また、図２及び図３では、説明を簡略化するために、液晶パネル４として、画素４１が４行×１０列に配設された構成を示している。
液晶パネル４は、バックライト３とともに本発明の表示手段を構成する。この液晶パネル４は、固定画素型の画像形成デバイスであり、図２及び図３に示すように、立体画像を表示する長方形状の画像表示領域ＤＡを有する。この画像表示領域ＤＡは、第１画像としての右目用画像を表示する複数の第１画素４１Ｒ（右目用画素）と、第２画像としての左目用画像を表示する複数の第２画素４１Ｌ（左目用画素）と、これら画素４１Ｒ，４１Ｌの境界部分に形成されたブラックマトリクスＢＭとを有する。
【００３３】
第１画素４１Ｒ及び第２画素４１Ｌは、図３に示すように、行方向及び列方向（それぞれ画像表示領域ＤＡの長手方向、及び、当該長手方向に直交する短手方向）に、それぞれ交互に配列されている。
これら各画素４１Ｒ，４１Ｌは、具体的な図示は省略したが、それぞれ３つのサブピクセルから成り、当該各サブピクセルの光束出射側（バックライト３とは反対側）には、Ｒ（赤）、Ｇ（緑）及びＢ（青）のカラーフィルターがそれぞれ配設されている。
このような各画素４１Ｒ，４１Ｌは、一対の透明基板間に密閉封入された液晶に電圧を印加するＴＦＴ(Thin Filmed Transistor)をスイッチング素子として備え、ＴＦＴのスイッチングにより、各画素４１Ｒ，４１Ｌに画像信号として印加される電圧が変化して液晶の配向状態が変化されることで、入射光束が画像信号に応じて変調される。
【００３４】
〔視差バリアの構成〕
図４は、視差バリア５の透光性基板５１を平面的に見た模式図である。
視差バリア５は、液晶パネル４の光束出射側（観察者側であり、バックライト３とは反対側）に配設され、当該液晶パネル４により形成された立体画像のうち、右目用画像と左目用画像とを分離して、観察者の右目及び左目にそれぞれ個別に入射させる。
この視差バリア５は、図２及び図４に示すように、液晶パネル４を介した光を透過するバリア基板としての透光性基板５１を備え、当該透光性基板５１は、遮光部５２及び透過部５３を有するほか、第１位置合わせ部５４及び第２位置合わせ部５５（図６〜図９参照）を有する。
【００３５】
遮光部５２は、光を遮断する材料から構成され、透光性基板５１上に形成されている。
透過部５３は、本発明の第１の透過部に相当し、遮光部５２において前述の第１画素４１Ｒ及び第２画素４１Ｌに応じた位置に複数形成された開口部により構成されている。詳述すると、各透過部５３は、当該第１画素４１Ｒにより表示された右目用画像を観察者の右目に、また、第２画素４１Ｌにより表示された左目用画像を観察者の左目に、それぞれ入射させる位置に形成されている。このため、右目用画像及び左目用画像が観察者の左目及び右目にそれぞれ入射されることは、遮光部５２により制限される。
【００３６】
これら透過部５３は、それぞれ、画像表示領域ＤＡの短手方向に沿って長い略長方形状を有するが、当該長方形状は、透過部５３の配置位置に応じて僅かに異なる。
具体的に、前述のブラックマトリクスＢＭのうち、画像表示領域ＤＡの短手方向（図３及び図４における上下方向）略中央を通り、かつ、画像表示領域ＤＡの長手方向（図３及び図４における横方向）に沿うブラックストライプＢＳ２をＸ軸とし、画像表示領域ＤＡの長手方向中央を通り、かつ、短手方向に沿うブラックストライプＢＳ１をＹ軸とした時に、当該画像表示領域ＤＡにおける第一象限の画素４１に応じて配設された透過部５３は、視差バリア５の中心から最も離れた角部（図４における右上の角部）が当該透過部５３の内側に突出した形状を有する。同様に、第二象限、第三象限及び第四象限の画素４１に応じて配設された各透過部５３は、視差バリア５の中心から最も離れた角部が当該透過部５３の内側に突出した形状を有する。一方、Ｙ軸上に位置する透過部５３の形状は、角部が内側に突出することなく、略長方形状のままとなっている。
なお、透過部５３がこのような形状を有している点については、後に詳述する。
【００３７】
〔第１位置合わせ部及び第２位置合わせ部の位置〕
図５は、第１位置合わせ部５４及び第２位置合わせ部５５の位置を示す模式図である。
第１位置合わせ部５４及び第２位置合わせ部５５は、本発明の第２の透過部及び第３の透過部にそれぞれ相当する。これら第１位置合わせ部５４及び第２位置合わせ部５５は、前述のように、遮光部５２に形成された光透過領域であり、視差バリア５を液晶パネル４の画像表示領域ＤＡに位置合わせする際に利用される。
これらのうち、第１位置合わせ部５４は、図５に示すように、前述のブラックストライプＢＳ１に応じて複数形成される。詳述すると、本実施形態では、当該第１位置合わせ部５４は、ブラックストライプＢＳ１上で、かつ、画像表示領域ＤＡの周縁部に応じた２箇所（図５において円Ｃ１，Ｃ２で示す箇所）に、それぞれ形成される。このため、各第１位置合わせ部５４は、視差バリア５の液晶パネル４に対する取付方向から見て、画像表示領域ＤＡの中心を挟むように、それぞれ形成される。
【００３８】
また、第２位置合わせ部５５は、ブラックストライプＢＳ２に応じて複数形成される。詳述すると、本実施形態では、当該第２位置合わせ部５５は、ブラックストライプＢＳ２上で、かつ、画像表示領域ＤＡの周縁部に応じた２箇所（図５において円Ｃ３，Ｃ４で示す箇所）に、それぞれ形成される。このため、各第２位置合わせ部５５は、視差バリア５の液晶パネル４に対する取付方向から見て、画像表示領域ＤＡの中心を挟むように、それぞれ形成される。
【００３９】
〔第１位置合わせ部の構成〕
図６及び図７は、第１位置合わせ部５４を示す模式図である。これらのうち、図６は、図５において円Ｃ１で示した視差バリア５の領域内を拡大して示す模式図であり、図７は、図６において円Ｃ１１で示す領域内を拡大して示す模式図である。
第１位置合わせ部５４は、図６及び図７に示すように、ブラックストライプＢＳ１を挟み、互いに隣接する一対の透過部５３を接続するように形成され、視差バリア５の液晶パネル４に対する取付方向から見て、当該ブラックストライプＢＳ１に交差する方向に延出している。具体的に、第１位置合わせ部５４は、遮光部５２に形成された複数の孔５４１により構成されている。これら孔５４１は、ブラックストライプＢＳ１に直交する方向（換言すると、画像表示領域ＤＡの長手方向）に沿って配列され、それぞれ隣接する孔５４１は、当該ブラックストライプＢＳ１の延出方向（換言すると、画像表示領域ＤＡの短手方向）に互いにずれて形成されている。
なお、円Ｃ２（図５参照）で示した位置に形成された第１位置合わせ部５４の形状及び構成も、同様である。
【００４０】
このような第１位置合わせ部５４を有する視差バリア５を画像表示領域ＤＡに位置合わせする際には、液晶パネル４にテスト画像（例えば、ブラックマトリクスＢＭを観察しやすい白色画像）を表示させた後、図７に示すように、孔５４１を介してブラックストライプＢＳ１を観察して、当該ブラックストライプＢＳ１が第１位置合わせ部５４の中央に位置するように、視差バリア５を位置合わせする。これにより、ブラックストライプＢＳ１は、第１位置合わせ部５４により接続される一対の透過部５３の中央に位置することとなる。
【００４１】
〔第２位置合わせ部の構成〕
図８及び図９は、第２位置合わせ部５５を示す模式図である。換言すると、図８は、図５において円Ｃ３で示した視差バリア５の領域内を拡大して示す模式図であり、図９は、図８において円Ｃ３１で示す領域内を拡大して示す模式図である。
第２位置合わせ部５５は、図８に示すように、ブラックストライプＢＳ２を挟む一対の透過部５３を接続するように、当該ブラックストライプＢＳ２に交差する方向に延出している。詳述すると、第２位置合わせ部５５は、ブラックストライプＢＳ２を挟み、かつ、互いに隣接する一対の透過部５３において互いに近接する角部間を接続するように形成されている。なお、本実施形態では、更に、当該一対の透過部５３のうちの一方と、他方に対して長手方向に隣接する他の透過部５３とを接続するように、他の第２位置合わせ部５５が形成されている。
【００４２】
これら第２位置合わせ部５５は、図９に示すように、視差バリア５の液晶パネル４に対する取付方向から見てブラックストライプＢＳ２に交差する方向に、階段状に配列された複数の孔５５１により形成されている。
なお、円Ｃ４（図５参照）で示した位置に形成された第２位置合わせ部５５の形状及び構成も、同様である。
【００４３】
このような第２位置合わせ部５５を有する視差バリア５を画像表示領域ＤＡに位置合わせする際には、前述の第１位置合わせ部５４にて位置合わせする場合と同様に、液晶パネル４に前述のテスト画像を表示させた後、図９に示すように、孔５５１を介してブラックストライプＢＳ２を観察して、当該ブラックストライプＢＳ２が第２位置合わせ部５５の中央に位置するように、視差バリア５を位置合わせする。これにより、ブラックストライプＢＳ２は、第２位置合わせ部５５により接続される一対の透過部５３の中央に位置することとなる。
【００４４】
〔画像表示装置の製造工程〕
以下、上記構成を有する画像表示装置２の製造工程を説明する。
前述の画像表示装置２は、以下に示すテスト画像表示工程、位置合わせ工程及び固定工程を順に経ることにより製造される。
このうち、テスト画像表示工程では、まず、バックライト３と液晶パネル４とを互いに組み合わせ、これらにより、前述のテスト画像を表示する。
【００４５】
位置合わせ工程では、まず、液晶パネル４（詳述すると、画像表示領域ＤＡ）に対して、視差バリア５を粗調整する。この段階で、画像表示領域ＤＡと視差バリア５とは、ある程度の光学分離性をもって位置合わせされる。
この後、液晶パネル４に対して視差バリア５を微調整する。具体的に、表示されたテスト画像を視差バリア５を介して観察しながら、ブラックストライプＢＳ１が、前述の各円Ｃ１，Ｃ２内に位置する第１位置合わせ部５４の中央に位置するように、画像表示領域ＤＡに対して視差バリア５を位置合わせする。この際、透過部５３の形状を確認することにより、第１位置合わせ部５４がどの方向に位置するのかを把握することができる。そして、これにより、当該視差バリア５が、画像表示領域ＤＡの長手方向における最適位置に位置合わせされる。
【００４６】
なお、ブラックストライプＢＳ１の位置は、第１画素４１Ｒ及び第２画素４１Ｌのそれぞれのサブピクセルの色に基づいて把握することができる。すなわち、各画素４１は、画像表示領域ＤＡの長手方向に沿ってＲ（赤）、Ｇ（緑）、Ｂ（青）の順に並んだサブピクセルにより構成されているので、画像表示領域ＤＡの略中央におけるＢ（青）のサブピクセルと、Ｒ（赤）のサブピクセルとの境界に、ブラックストライプＢＳ１が位置することとなる。このため、当該各サブピクセルの色に基づいて、ブラックストライプＢＳ１の位置を把握することができる。
【００４７】
また、当該位置合わせ工程では、ブラックストライプＢＳ２が、前述の各円Ｃ３，Ｃ４内に位置する第２位置合わせ部５５の中央に位置するように、画像表示領域ＤＡに対して視差バリア５を位置合わせする。この場合においても、透過部５３の形状を確認することにより、第２位置合わせ部５５がどの方向に位置するのかを把握することができる。そして、これにより、視差バリア５が、画像表示領域ＤＡの短手方向における最適位置に位置合わせされる。
そして、固定工程では、位置合わせされた視差バリア５を液晶パネル４に、ねじ或いは接着剤等により固定する。
このようにして、前述の画像表示装置２は製造される。
【００４８】
以上説明した本実施形態の遊技機１によれば、以下の効果を奏することができる。
第１位置合わせ部５４を、ブラックマトリクスＢＭに合わせることにより、液晶パネル４の画像表示領域ＤＡの画素配列に応じて形成された視差バリア５を、当該画像表示領域ＤＡに対して適切に位置合わせすることができる。従って、特別な技術や機器を要せずに、視差バリア５を液晶パネル４に適切に位置合わせできるので、当該視差バリア５の位置合わせ工程を簡略化できる。また、これにより、製造される画像表示装置２における視差バリア５の位置ずれに基づく品質（右目用画像及び左目用画像の光学分離性）のばらつきを抑制することができるほか、当該画像表示装置２の製造工程及び製造設備の簡素化を図ることができるので、当該画像表示装置２の生産性を向上できる。
【００４９】
更に、液晶パネル４が筐体に既に収納されている場合でも、外部に露出するブラックマトリクスＢＭに第１位置合わせ部５４を合わせるように、視差バリア５を液晶パネル４に対して位置合わせするので、既存の液晶パネルに視差バリア５を取り付けることも可能である。従って、立体視可能な画像を表示する立体画像表示装置を簡易に構成することができる。逆に、画像表示装置２から、視差バリア５を取り外すことも可能となり、液晶パネル４の再利用を図ることができるほか、当該液晶パネル４及びバックライト３により、２次元画像を表示する画像表示装置として、これらを再利用することができる。
【００５０】
画像表示領域ＤＡには、第１画素４１Ｒ及び第２画素４１Ｌが、長手方向に沿って交互に配列されているので、当該画素の配列に応じて形成される遮光部５２及び透過部５３の配置状態は、視差バリア５が液晶パネル４に取り付けられた場合、ブラックストライプＢＳ１を中心として線対称となる。
このため、ブラックストライプＢＳ１に応じた位置に形成された第１位置合わせ部５４を当該ブラックストライプＢＳ１に合わせることにより、各画素に対して位置合わせされる透過部５３のずれを抑制でき、製造される画像表示装置２の品質のばらつきを一層抑制できる。
【００５１】
画像表示領域ＤＡの中心を挟む複数の位置に第１位置合わせ部５４が形成されている。これによれば、当該各第１位置合わせ部５４をブラックストライプＢＳ１に合うように位置合わせすることで、画像表示領域ＤＡの長手方向に対してずれることなく、視差バリア５を液晶パネル４に一層適切に位置合わせできる。従って、製造される画像表示装置２の品質のばらつきを確実に抑制できる。
【００５２】
第１位置合わせ部５４が、ブラックストライプＢＳ１に交差する方向に配列された複数の孔５４１により構成されているので、当該各孔５４１を介してブラックストライプＢＳ１の位置を把握しやすくすることができる。従って、第１位置合わせ部５４をブラックストライプＢＳ１に合わせやすくすることができ、ひいては、視差バリア５の液晶パネル４に対する位置合わせを、より適切かつ簡易に行うことができる。
更に、隣接する各孔５４１が画像表示領域ＤＡの短手方向にずれて配置されていることにより、当該各孔５４１を通過する光の漏れを抑制できるので、右目用画像が観察者の左目に入射し、左目用画像が観察者の右目に入射されるクロストーク量の増加を抑制できる。
【００５３】
視差バリア５は、ブラックストライプＢＳ２に応じた位置に形成された第２位置合わせ部５５を有するので、当該第２位置合わせ部５５により、画像表示領域ＤＡの短手方向における適切な位置に視差バリア５を合わせることができる。従って、第１画素４１Ｒ及び第２画素４１Ｌが長手方向及び短手方向にそれぞれ交互に配列された画像表示領域ＤＡを有する液晶パネル４に対して、視差バリア５をより適切に位置合わせすることができる。
また、これにより、画像表示領域ＤＡの寸法に合わせて視差バリア５の寸法を設定することができるので、当該視差バリア５の小型化を図ることができる。
【００５４】
画像表示領域ＤＡの中心を挟む複数の位置で、各第２位置合わせ部５５がブラックストライプＢＳ２に合うように、視差バリア５が液晶パネル４に対して位置合わせされるので、当該視差バリア５を表示手段に一層適切に位置合わせできる。
【００５５】
第２位置合わせ部５５が、ブラックストライプＢＳ２に対して交差する方向に配列された複数の孔５５１により形成されていることにより、当該第２位置合わせ部５５を介して観察されるブラックストライプＢＳ２の位置を把握しやすくすることができる。従って、当該第２位置合わせ部５５をブラックストライプＢＳ２に合わせやすくすることができ、視差バリア５の液晶パネル４に対する位置合わせを、より簡易に行うことができる。
更に、第２位置合わせ部５５は、階段状に配列された微小な孔５５１により構成されているので、前述の第１位置合わせ部５４の場合と同様に、クロストーク量の増加を抑制できる。
【００５６】
〔第２実施形態〕
次に、本発明の第２実施形態について説明する。
本実施形態に係る遊技機は、前述の遊技機１と同様の構成を備えるが、本実施形態の遊技機が備える画像表示装置の視差バリアと、遊技機１が備える画像表示装置２の視差バリア５とは、第１画素及び第２画素の配列、及び、透過部の配列が異なる点で相違する。なお、以下の説明では、既に説明した部分と同一または略同一である部分については、同一の符号を付して説明を省略する。
【００５７】
図１０は、本実施形態に係る遊技機が備える画像表示装置の液晶パネル４Ａにおける画素４１（４１Ｒ，４１Ｌ）の配列状態を示す模式図である。
本実施形態に係る遊技機は、液晶パネル４及び視差バリア５に代えて、液晶パネル４Ａ及び視差バリア５Ａを備えるほかは、前述の遊技機１と同様の構成を有する。
これらのうち、液晶パネル４Ａは、第１画素４１Ｒ及び第２画素４１Ｌの配列パターンが異なるほかは、液晶パネル４と同様の構成を備える。具体的に、液晶パネル４Ａの略長方形状の画像表示領域ＤＡにおいて、第１画素４１Ｒ及び第２画素４１Ｌは、図１０に示すように、当該画像表示領域ＤＡの長手方向に沿って交互に配列され、また、短手方向に沿って同じ種別の画素が並ぶように配列されている。換言すると、第１画素４１Ｒ及び第２画素４１Ｌは、それぞれ短手方向（列方向）に沿って配列された第１画素列（右目用画素列）及び第２画素列（左目用画素列）を形成し、当該第１画素列及び第２画素列が、長手方向（行方向）に沿って交互に配列されている。
【００５８】
図１１は、視差バリア５Ａの透光性基板５１を平面的に見た模式図である。
視差バリア５Ａは、液晶パネル４Ａの光束出射側（観察者側）に配設され、表示される立体画像のうち、右目用画像と左目用画像とを分離する機能を有し、観察者の両目に各画像を個別に入射させる。この視差バリア５Ａは、透光性基板５１を有し、当該透光性基板５１は、遮光部５２Ａ、透過部５３Ａ及び位置合わせ部５４Ａを有する。
遮光部５２Ａは、図１１に示すように、光を遮断する材料により、視差バリア５Ａの短手方向に沿って複数形成されている。これら遮光部５２Ａの間には、右目用画像及び左目用画像が透過する複数の透過部５３Ａが形成されている。なお、本実施形態では、透過部５３Ａは、全て同一の形状を有している。
【００５９】
このような遮光部５２Ａ及び透過部５３Ａにより、前述のように、第１画素４１Ｒから出射された光は、遮光部５２Ａにより観察者の左目ＥＬに入射することが規制され、透過部５３Ａを介して観察者の右目ＥＲのみに入射される。また、第２画素４１Ｌから出射された光は、遮光部５２Ａにより観察者の右目ＥＲに入射することが規制され、透過部５３Ａを介して観察者の左目ＥＬのみに入射される。これにより、観察者は、右目用画像及び左目用画像の視差により、立体画像を認識する。
【００６０】
図１２は、位置合わせ部５４Ａの位置を示す模式図である。
位置合わせ部５４Ａは、本発明の第２の透過部に相当する。この位置合わせ部５４Ａは、遮光部５２Ａに形成された光の透過領域であり、視差バリア５Ａを液晶パネル４Ａの画像表示領域ＤＡに位置合わせする際に利用される。
このような位置合わせ部５４Ａは、図１２に示すように、ブラックストライプＢＳ１に応じて複数形成される。詳述すると、本実施形態では、当該位置合わせ部５４Ａは、ブラックストライプＢＳ１上で、かつ、画像表示領域ＤＡの周縁部に応じた２箇所（図１２において円Ｃ５，Ｃ６で示す箇所）に、それぞれ形成される。このため、当該各位置合わせ部５４Ａは、ブラックストライプＢＳ２を挟むように、一対形成される。
【００６１】
〔位置合わせ部の構成〕
図１３は、位置合わせ部５４Ａを示す模式図であり、換言すると、図１３は、図１２において円Ｃ５で示した視差バリア５Ａの領域を拡大して示す模式図である。
位置合わせ部５４Ａは、図１３に示すように、ブラックストライプＢＳ１に交差する方向に沿って配列された複数の孔５４Ａ１により形成されている。これら孔５４Ａ１のうち、それぞれ互いに隣接する孔５４Ａ１は、ブラックストライプＢＳ１の延出方向（換言すると、画像表示領域ＤＡの短手方向）に互いにずれて形成されている。
なお、円Ｃ６（図１２参照）で示した位置に形成された位置合わせ部５４Ａの形状及び構成も、同様である。
【００６２】
上記構成を有する画像表示装置は、前述のテスト画像表示工程、位置合わせ工程及び固定工程と同様の工程を順に経ることにより製造される。
このうち、位置合わせ工程では、孔５４Ａ１を介してブラックストライプＢＳ１を観察して、当該ブラックストライプＢＳ１が位置合わせ部５４Ａの中央に位置するように、視差バリア５Ａを位置合わせする。これにより、ブラックストライプＢＳ１が、当該位置合わせ部５４Ａが形成された遮光部５２Ａの中央（換言すると、当該遮光部５２Ａを挟む一対の透過部５３Ａの中央）に位置することとなる。
以上説明した本実施形態に係る遊技機によれば、前述の遊技機と同様の効果を奏することができる。
【００６３】
〔実施形態の変形〕
本発明は前述の実施形態に限定されるものではなく、本発明の目的を達成できる範囲での変形、改良等は本発明に含まれるものである。
前記各実施形態では、視差バリア５，５Ａは、第１画素４１Ｒにより形成された第１画像としての右目用画像を観察者の右目に入射させ、第２画素４１Ｌにより形成された第２画像としての左目用画像を観察者の左目に入射させる機能を有するとしたが、本発明はこれに限らない。すなわち、第１画像を複数の観察者のうちの一方に入射させ、第２画像を他方に入射させるように、視差バリアを構成してもよい。
【００６４】
図１４は、前記各実施形態で示した画像表示装置２の変形である画像表示装置２Ｂの構成を模式的に示す断面図である。
例えば、図１４に示す画像表示装置２Ｂは、形成された第１画像及び第２画像を、互いに離れた第１観察者Ｖ１及び第２観察者Ｖ２にそれぞれ出射して、当該第１画像及び第２画像をそれぞれ個別に観察者に視認させるものである。この画像表示装置２Ｂは、視差バリア５に代えて、視差バリア５Ｂを備えるほかは、画像表示装置２と同様の構成を備える。また、視差バリア５Ｂは、透光性基板５１、遮光部５２及び透過部５３の他、図示を省略するが、第１位置合わせ部５４及び第２位置合わせ部５５を有する。
【００６５】
この視差バリア５Ｂは、遮光部５２及び透過部５３により、第１画素４１Ｒから出射された第１画像の光のうち、観察者Ｖ１に向かう方向（第１視方向）に出射された光を透過させて、当該光を観察者Ｖ１に入射させる。
同様に、視差バリア５Ｂは、遮光部５２及び透過部５３により、第２画素４１Ｌから出射された第２画像の光のうち、観察者Ｖ２に向かう方向（第２視方向）に出射された光を透過させて、当該光を観察者Ｖ２に入射させる。
これにより、観察者Ｖ１は第１画像を視認でき、観察者Ｖ２は第２画像を視認できる。
このような画像表示装置２Ｂによっても、視差バリア５Ｂが第１位置合わせ部５４及び第２位置合わせ部５５を有することにより、前述の画像表示装置２と同様の効果を奏することができる。
【００６６】
ここで、画像表示装置２Ｂが、液晶パネル４に代えて、液晶パネル４Ａを有する場合には、当該液晶パネル４Ａの画素配列に応じた透過部５３Ａを有する視差バリアが、位置合わせ部５４Ａを有することにより、前記第２実施形態で示した画像表示装置と同様の効果を奏することができる。この場合には、当該視差バリアが、視差バリア５Ｂと同様に、遮光部５２及び透過部５３Ａにより、観察者Ｖ１に向かう方向に出射された第１画像の光を透過させ、観察者Ｖ２に向かう方向に出射された第２画像の光を透過させることで、各観察者Ｖ１，Ｖ２は、第１画像及び第２画像をそれぞれ個別に視認できる。
【００６７】
なお、前記第１及び第２実施形態で示した画像表示装置２、及び、前記画像表示装置２Ｂは、第１画像及び第２画像を形成して、当該各画像を第１視方向及び第２視方向に出射するとしたが、本発明はこれに限らない。すなわち、更に多くの画像を形成し、当該各画像をそれぞれ異なる方向（視方向）に出射するように、画像表示装置を構成してもよい。この場合、当該各画像は、同一の画像でもよく、それぞれ異なる画像でもよい。
【００６８】
前記第１実施形態では、第１位置合わせ部５４及び第２位置合わせ部５５は、複数の孔５４１，５５１により、２つの透過部５３を接続するように形成されていたが、本発明はこれに限らない。また、前記第２実施形態では、位置合わせ部５４Ａは、複数の孔５４Ａ１により、２つの透過部５３を接続するように形成されていたが、本発明はこれに限らない。すなわち、ブラックマトリクスＢＭに応じた位置に形成され、当該ブラックマトリクスＢＭを観察しつつ、視差バリアを液晶パネルにおける適切な位置に位置合わせ可能であれば、各位置合わせ部の構成及び位置は問わない。
【００６９】
前記各実施形態では、第１位置合わせ部５４、第２位置合わせ部５５及び位置合わせ部５４Ａは、複数の孔５４１，５５１，５４Ａ１により構成されるとしたが、本発明はこれに限らない。すなわち、当該孔の数は問わず、遮光部５２に形成された１つの孔（透過領域）により、各位置合わせ部を形成してもよい。この場合、当該孔を長方形状に形成し、当該孔の長手方向が対応するブラックストライプに交差する方向に形成されていれば、孔の開口面積を小さくすることができるほか、当該ブラックストライプの位置を把握しやすくすることができる。
【００７０】
前記各実施形態では、第１位置合わせ部５４、第２位置合わせ部５５及び位置合わせ部５４Ａは、画像表示領域ＤＡの周縁に応じた視差バリア５，５Ａの位置にそれぞれ形成されるとしたが、本発明はこれに限らない。すなわち、視差バリアを画像表示領域に対して適切に位置合わせすることができれば、各位置合わせ部の位置及び数は問わない。
【００７１】
前記第１実施形態では、視差バリア５は、第２位置合わせ部５５を有する構成であったが、本発明はこれに限らない。すなわち、第１位置合わせ部５４により視差バリア５を液晶パネル４に適切に位置合わせすることが可能であれば、第２位置合わせ部５５は無くてもよい。
また、各透過部５３の形状は、当該透過部５３が対応する画素４１が位置する象限に応じて異なるとしたが、本発明はこれに限らず、全て同じでもよい。また、当該各透過部５３の形状についても、当該形状により位置を把握可能であれば、適宜設定可能である。
【００７２】
前記各実施形態では、位置合わせ工程にて、液晶パネル４にテスト画像として白色画像を表示させるとしたが、本発明はこれに限らない。すなわち、ブラックストライプＢＳ１，ＢＳ２を認識可能であれば、他の色でもよい。また、この際、第１画素４１Ｒ及び第２画素４１Ｌに、それぞれ異なる色の画像を表示させてもよい。
【００７３】
前記各実施形態では、画像表示装置２は、視点数が２の２眼式立体表示装置として構成されているとしたが、本発明はこれに限らない。すなわち、視点数が３以上の立体表示装置として構成してもよい。また、前述のように、画像表示装置は、立体表示装置に限らず、複数画像をそれぞれ異なる方向に出射する画像表示装置でもよく、この場合でも、視点数は、３以上でもよい。
【００７４】
前記各実施形態では、視差バリア５，５Ａが取り付けられる表示手段として、バックライト３及び液晶パネル４，４Ａの組み合わせを例示したが、本発明はこれに限らない。すなわち、プラズマ及び有機ＥＬ（Electro-Luminescence）等の各種ディスプレイに、本発明の視差バリアを適用して、立体視可能な画像表示装置を構成することも可能である。また、本発明の視差バリアを既存の表示手段に適用して、立体視可能な画像表示装置を構成することも可能である。
【００７５】
前記各実施形態では、バックライト３、液晶パネル４及び視差バリア５，４Ａを備える画像表示装置２を遊技機１に適用した例を挙げたが、本発明はこれに限らない。例えば、本発明の画像表示装置を単体で用いることも可能であるほか、自動車やゲーム機等に採用することも可能である。
【産業上の利用可能性】
【００７６】
本発明は、視差により立体視可能な画像を表示する画像表示装置に利用できる。
【符号の説明】
【００７７】
１…遊技機、２，２Ｂ…画像表示装置、３…バックライト（表示手段）、４，４Ａ…液晶パネル（表示手段）、５，５Ａ，５Ｂ…視差バリア、４１Ｌ…第２画素、４１Ｒ…第１画素、５２，５２Ａ…遮光部、５３，５３Ａ…透過部（第１の透過部）、５４…第１位置合わせ部（第２の透過部）、５４Ａ…位置合わせ部（第２の透過部）、５５…第２位置合わせ部（第３の透過部）、５４１，５５１，５４Ａ１…孔、ＢＭ…ブラックマトリクス、ＢＳ１…ブラックストライプ（第１のブラックストライプ）、ＢＳ２…ブラックストライプ（第２のブラックストライプ）、ＤＡ…画像表示領域。
【図１】
2011167443.tif 000003
【図２】
2011167443.tif 000004
【図３】
2011167443.tif 000005
【図４】
2011167443.tif 000006
【図５】
2011167443.tif 000007
【図６】
2011167443.tif 000008
【図７】
2011167443.tif 000009
【図８】
2011167443.tif 000010
【図９】
2011167443.tif 000011
【図１０】
2011167443.tif 000012
【図１１】
2011167443.tif 000013
【図１２】
2011167443.tif 000014
【図１３】
2011167443.tif 000015
【図１４】
2011167443.tif 000016